(57)【要約】      （修正有）【課題】不使用時には板状に折り畳むことができ各種イベント等において嵩張ることなく好適に使用可能な折り畳み笠を提供する。【解決手段】折り畳み笠１は、板状体にて形成され偶数個の表面２ａ，２ｂ，２ｃ，２ｄ，２ｅ，２ｆを備えた角錐状笠本体部２と、角錐状笠本体部の内側に設けられた頭部装着部３とを有している。角錐状笠本体部は、頂角が同一角度の六角錐形状に形成されていることが好ましい。また頭部装着部は板状体にて形成され、角錐状笠本体部の裏面にそれぞれ沿って多角形状に開く環状部材にて構成されていることが好ましい。【選択図】図８
0003193826.tif 000002
【実用新案登録請求の範囲】
【請求項１】
板状体にて形成され偶数個の表面を備えた角錐状笠本体部と、該角錐状笠本体部の内側に設けられた頭部装着部とを有することを特徴とする折り畳み笠。
【請求項２】
前記角錐状笠本体部の前記表面は、頂角が同一角度に形成されている請求項１に記載の折り畳み笠。
【請求項３】
前記角錐状笠本体部は、六角錐形状に形成されている請求項１または２に記載の折り畳み笠。
【請求項４】
前記角錐状笠本体部は、円形の板状体の一部を扇形状に切り欠き、半径方向の端辺同士を接合して角錐形状に形成されている請求項１ないし３のいずれかに記載の折り畳み笠。
【請求項５】
前記角錐状笠本体部は通気口を有している請求項１ないし４のいずれかに記載の折り畳み笠。
【請求項６】
前記頭部装着部は、板状体にて形成されている請求項１ないし５のいずれかに記載の折り畳み笠。
【請求項７】
前記頭部装着部は、前記角錐状笠本体部の前記表面の裏面にそれぞれ沿って多角形状に開く環状部材にて構成されている請求項６に記載の折り畳み笠。
【請求項８】
前記角錐状笠本体部および前記頭部装着部はダンボールにて形成されている請求項１ないし７のいずれかに記載に記載の折り畳み笠。
【請求項９】
前記角錐状笠本体部または前記頭部装着部に取り付けられた装着用係止部材を有している請求項１ないし８のいずれかに記載の折り畳み笠。
【考案の詳細な説明】
【技術分野】
【０００１】
本考案は、各種イベント等に使用して好適な折り畳み笠に関するものである。
【背景技術】
【０００２】
従来より、円錐形状の笠本体部と、笠本体部の内側に固定された頭部装着用リング部と、装着用紐部材とを有した笠が使用されている。この笠は日本の風土に合った被り物で、古くから、日差しよけ、雨よけ、雪よけ等として通年使用されてきた（例えば実用新案登録第３１３００４４号公報の日よけ笠）。
【０００３】
ところで、この種の笠は、上記笠本来の機能に加え、笠本体部の表面側に広いスペースを有しているため、一つの広告媒体などとしても各種イベントに好適である一方、円錐形状の笠本体部と笠本体部の下方に固定された頭部装着用リング部とで構成されているため、全体として嵩張り、各種イベント等においては使用が困難であった。
【先行技術文献】
【特許文献】
【０００４】
【特許文献１】実用新案登録第３１３００４４号公報
【考案の概要】
【考案が解決しようとする課題】
【０００５】
そこで、本考案の課題は、不使用時には板状に折り畳むことができ各種イベント等において嵩張ることなく好適に使用可能な折り畳み笠を提供することにある。
【課題を解決するための手段】
【０００６】
上記課題を解決するものは、板状体にて形成され偶数個の表面を備えた角錐状笠本体部と、該角錐状笠本体部の内側に設けられた頭部装着部とを有することを特徴とする折り畳み笠である。
【０００７】
前記角錐状笠本体部の前記表面は、頂角が同一角度に形成されていることが好ましい。前記角錐状笠本体部は、六角錐形状に形成されていることが好ましい。前記角錐状笠本体部は、円形の板状体の一部を扇形状に切り欠き、半径方向の端辺同士を接合して角錐形状に形成されていることが好ましい。前記角錐状笠本体部は頂部に通気口を有していることが好ましい。前記頭部装着部は板状体にて形成されていることが好ましい。前記頭部装着部は前記角錐状笠本体部の前記表面の裏面にそれぞれ沿って多角形状に開く環状部材にて構成されていることが好ましい。前記角錐状笠本体部および前記頭部装着部はダンボール紙にて形成されていることが好ましい。前記角錐状笠本体部または前記頭部装着部に取り付けられた装着用係止部材を有していることが好ましい。
【考案の効果】
【０００８】
請求項１に記載した考案によれば、不使用時には板状に折り畳むことができ各種イベント等において嵩張ることなく好適に使用可能な折り畳み笠を構成できる。
請求項２に記載した考案によれば、より容易に上記請求項１の効果を有する折り畳み笠を構成できる。
請求項３に記載した考案によれば、最適な形態の折り畳み笠を構成できる。
請求項４に記載した考案によれば、より容易に角錐状笠本体部を構成することができる。
請求項５に記載した考案によれば、通気口から熱気が排出され空気が流通することで、頭部が蒸れない折り畳み笠を構成できる。
請求項６に記載した考案によれば、より板状に折り畳むことができる折り畳み笠を構成できる。
請求項７に記載した考案によれば、より板状に折り畳むことができる折り畳み笠を構成できる。
請求項８に記載した考案によれば、取り扱いが容易で、軽量、低廉かつ強度性に優れた低廉に折り畳み笠を構成できる。
請求項９に記載した考案によれば、装着状態をより保持できる折り畳み笠を構成できる。
【図面の簡単な説明】
【０００９】
【図１】本考案の折り畳み笠の一実施例の正面図である。
【図２】図１に示した折り畳み笠の平面図である。
【図３】図１に示した折り畳み笠の底面図である。
【図４】図１に示した折り畳み笠を折り畳んだ状態を示す平面図である。
【図５】図１に示した折り畳み笠の角錐状笠本体部の展開図である。
【図６】図１に示した折り畳み笠の頭部装着部の展開図である。
【図７】図１に示した折り畳み笠の使用状態を説明するための斜視概略図である。
【図８】図１に示した折り畳み笠の折り畳み状態を説明するための斜視図である。
【考案を実施するための形態】
【００１０】
本考案は、板状体にて形成され偶数個の表面２ａ，２ｂ，２ｃ，２ｄ，２ｅ，２ｆを備えた角錐状笠本体部２を有することで、不使用時には２つに折って板状に折り畳むことができ各種イベント等において嵩張ることなく好適に使用可能な折り畳み笠１を実現した。
【実施例１】
【００１１】
本考案の折り畳み笠を図１ないし図８に示した一実施例を用いて説明する。
この実施例の折り畳み笠１は、図１ないし図３に示すように、板状体にて形成され頂角αが同一角度の表面２ａ，２ｂ，２ｃ，２ｄ，２ｅ，２ｆを偶数個備えた角錐状笠本体部２と、角錐状笠本体部２の内側に設けられた頭部装着部３と、頭部装着部に取り付けられた装着用係止部材４ａ，４ｂを有している。以下、各構成について順次詳述する。
【００１２】
角錐状笠本体部２は、板状体にて形成されており、図２に示すように、頂角αが同一角度の表面２ａ，２ｂ，２ｃ，２ｄ，２ｅ，２ｆを６つ備えている。このように、本発明の折り畳み笠は、頂角が同一角度の表面を偶数個備えていることにより、不使用時には、図４または図８に示すように、２つ折りにして板状に折り畳むことができ各種イベント等において嵩張ることなく好適に使用できる。
【００１３】
角錐状笠本体部における、頂角αが同一角度の表面の数は、この実施例のように６つが最も好ましく、角錐状笠本体部は六角錐形状に形成されていることが好ましい。これにより、最適な形態の折り畳み笠を構成できる。また、この実施例の頂角αは４７度であり、６つの表面２ａ，２ｂ，２ｃ，２ｄ，２ｅ，２ｆは４７度の頂角を有する扇形に形成されている。ただし、頂角αが同一角度の表面は、この実施例のように扇形に限定されるものではなく、頂角αが同一角度の表面を広く包含するものであり、例えば頂角αが同一角度の三角面を偶数個有するものも本考案の範疇に包含される。
【００１４】
そして、角錐状笠本体部２は、図５に示すように、円形の板状体の一部を扇形状に切り欠き、半径方向の端辺同士を接合して角錐形状に形成されている。これによって、より容易に角錐状笠本体部を構成することができる。
【００１５】
具体的には、この実施例の角錐状笠本体部２は、図５に示すように、平面側から視て山折りされる５本の折り曲げ線５ａ，５ｂ，５ｃ，５ｄ，５ｅに沿って山折りすると共に、糊代６の上面に糊付けをし、表面２ａの裏面に接着することにより、半径方向の端辺同士を接合して六角錐形状に形成されている。
【００１６】
また、角錐状笠本体部２は、図１に示すように頂部に通気口７を有している。この通気口７から熱気が排出され空気が流通することで、頭部が蒸れない折り畳み笠を構成できる。なお、この実施例の通気口７は、図５に示すように、表面２ａの頂部を三角形状に切り欠くことにより形成されているが、これに限定されるものではなく、例えば頂部付近または比較的上部付近に単数または複数の貫通孔を有するものでもよい。
【００１７】
頭部装着部（五徳）３は、図７に示すように角錐状笠本体部２を頭部に装着するために、角錐状笠本体部２の内側に設けられた部位であり、この実施例の頭部装着部３は、図６に示すように板状体にて形成されている。この頭部装着部も板状体にて形成されることによって、より板状に折り畳むことができる折り畳み笠を構成できる。
【００１８】
具体的には、頭部装着部３は、図６に示すように、長尺状板状体にて構成されており、この長尺状板状体は、長手方向に対して直交する方向に設けられた６本の折り曲げ線８ａ，８ｂ，８ｃ，８ｄ，８ｅ，８ｆと、長手方向の一端側に設けられた糊代９と、短手方向の一端側に長手方向に沿って形成された折り曲げ線１０ａ，１０ｂと、折り曲げ線１０ａ，１０ｂを介してそれぞれ連設された糊代１１ａ，１１ｂとを有している。
【００１９】
そして、この長尺状板状体は、６本の折り曲げ線８ａ，８ｂ，８ｃ，８ｄ，８ｅ，８ｆに沿ってそれぞれ内側に折り曲げ、長手方向の一端側に設けられた糊代９を長手方向の他端側に張り付けて環状に形成すると共に、折り曲げ線１０ａ，１０ｂをそれぞれ内側に折り曲げ、図３に示すように糊代１１ａ，１１ｂにて角錐状笠本体部３の表面の裏面に張り付ける。６本の折り曲げ線８ａ，８ｂ，８ｃ，８ｄ，８ｅ，８ｆは等間隔でかつ面数と同数設けられているため、図３に示すように、頭部装着部３は、角錐状笠本体部２の前記表面の裏面にそれぞれ沿って多角形状に開くように構成されており、角錐状笠本体部２を閉じると、図８に示すように、板状に折り畳むことができるよう構成されている。
【００２０】
装着用係止部材４ａ，４ｂは、折り畳み笠１を装着後、頭部への装着状態を保持するためのものであり、この実施例では、頭部装着部３の対向する位置にそれぞれ取り付けられた２本の紐部材にて構成されている。ただし、装着用係止部材はこれに限定されるものではなく、例えば角錐状笠本体部に取り付けられたもの、１本のゴム紐部材などにて構成されていてもよい。
【００２１】
なお、この実施例の折り畳み笠１は、角錐状笠本体部２および頭部装着部３が段ボール紙にて形成されている。これにより、取り扱いが容易で、軽量、低廉かつ強度性に優れた折り畳み笠を構成できる。ただし、角錐状笠本体部または/および頭部装着部の形成材料は段ボール紙に限定されるものではなく、プラスチック製段ボールにて形成されたものも本考案の範疇に包含される。また、本考案の折り畳み笠の角錐状笠本体部または/および頭部装着部の形成材料は、段ボールにて形成されたものに限定されるものではなく、例えば厚紙、段ボール以外の板紙、または樹脂材料などにて形成されたものも広く本考案の範疇に包含される。
【００２２】
つぎに、本考案の折り畳み笠１の使用方法について説明する。
折り畳み笠１を使用する場合は、図４の折り畳まれた状態から、角錐状笠本体部２を図３に示すように広げる。その後、図７に示すように、頭部装着部３内に頭部を挿入し、装着用係止部材４ａ，４ｂの下端部を顎下で結んで装着状態を保持させる。使用後は、装着用係止部材４ａ，４ｂによる係止を解いて、頭部より外した後、下方に押圧することにより、図８に示すように、２つ折りになって板状に折り畳むことができ、各種イベント等において嵩張ることなく好適に使用できる。
【符号の説明】
【００２３】
１                                        折り畳み笠
２                                        角錐状笠本体部
２ａ，２ｂ，２ｃ，２ｄ，２ｅ，２ｆ        表面
３                                        頭部装着部
４ａ，４ｂ                                装着用係止部材
５ａ，５ｂ，５ｃ，５ｄ，５ｅ              折り曲げ線
６                                        糊代
７                                        通気口
８ａ，８ｂ，８ｃ，８ｄ，８ｅ，８ｆ        折り曲げ線
９                                        糊代
１０ａ，１０ｂ                            折り曲げ線
１１ａ，１１ｂ                            糊代
【図１】
0003193826.tif 000003
【図２】
0003193826.tif 000004
【図３】
0003193826.tif 000005
【図４】
0003193826.tif 000006
【図５】
0003193826.tif 000007
【図６】
0003193826.tif 000008
【図７】
0003193826.tif 000009
【図８】
0003193826.tif 000010